(57)【特許請求の範囲】
【請求項１】
筐体内に作動側熱交換器、利用側熱交換器及び作動側送風機、利用側送風機を備えた空気調和機において、前記筐体内を隔壁を介して設けられた二つの空間と、これらの空間のいずれか一方の空間前面側に設けられた利用側熱交換器と、一方の空間前面側に設けられた作動側熱交換器と備え、前記作動側熱交換器と利用側熱交換器は、室内空気と熱交換し、前記作動側熱交換器で熱交換された空気の一部は室外へ、一部は室内へ吐出する空気調和機。
【発明の詳細な説明】
【０００１】
【発明の属する技術分野】
本発明は、筐体内に冷凍サイクルを収納した一体形空気調和機に関するものである。
【０００２】
【従来の技術】
家庭用空気調和機は、大別して２種類ある。室内ユニットと室外ユニットを冷媒配管で接続して冷凍サイクルを構成するセパレート形空気調和機器。ひとつの筐体の中に室内用熱交換器、室外用熱交換器、圧縮機を収納し、この筐体を家屋の窓等に嵌め込む、一体形空気調和機がある。一般的に騒音等を考慮するとセパレート形空気調和機が有利であり、普及率も高い。一方、一体形空気調和機は、移設等が比較的簡単である。
【０００３】
本発明は、一体形空気調和機を改良したものである。従来の一体形空気調和機を図８に示す。尚、従来の一体形空気調和機として、例えば、特公平５−６５７７４号公報などがある。
【０００４】
図８において、圧縮機３２の上方に室内側熱交換器３３が配設され、室内側送風機３５により室内の空気が室内側熱交換器３３の前面から吸い込まれ、前記室内側熱交換器３３により熱交換されて、室内側吹出口３７から室内に吹き出される。また、室外側熱交換器３４は空気調和機本体の背面に配設され、室外側送風機３６により室外の空気が室外側熱交換器３４の前面から吸い込まれ、前記室外側熱交換器３４により熱交換されて、室外側吹出口４１から室外に吹き出されるようになっている。
【０００５】
【発明が解決しようとする課題】
このような従来の一体形空気調和機器にあっては、室内の空気を室内側熱交換器前面から吸い込み、この室内側熱交換器で熱交換された空気が室内に吹き出される。一方、室外側熱交換器は空気調和機本体の背面に配設されているので、室外側熱交換器の吸込口と室外側吹出口は、屋外に面するように空気調和機は据付けられている。
【０００６】
ところで、近年、二世代同居の家庭が増え、高齢者のためにトイレ、お風呂の脱衣場などに暖房装置を備えた家が増えてきている。一般的には、電気ヒータによるものが多く、これら小部屋専用の一体形空気調和機を取付けた家は少ない。
【０００７】
トイレ、脱衣場は、窓が小さく従来の一体形空気調和機を据付けるのは不可能である。壁に四角の穴をあけて据付ける方法もあるが、この場合、部屋が小さいので、空気調和機を挿入することができる穴を開けるだけのスペースがない。
【０００８】
このように、従来の一体形空気調和機は、居間や寝室等への据付けを前提とした設計になっているため、トイレ或いは脱衣場などへの据付けについては全く配慮されていなかった。
【０００９】
ところで、トイレ或いは脱衣場などは、居住時間が短いため、必ずしも部屋全体を空調する必要はなく、換気と局所空調ができればその目的は達成される。
【００１０】
本発明の目的は、トイレ或いは脱衣場などの小部屋の換気と局所空調が可能な一体形空気調和機を提供することにある。
【００１１】
【課題を解決するための手段】
上記目的は、筐体内に作動側熱交換器、利用側熱交換器及び作動側送風機、利用側送風機を備えた空気調和機において、前記筐体内を隔壁を介して設けられた二つの空間と、これらの空間のいずれか一方の空間前面側に設けられた利用側熱交換器と、一方の空間前面側に設けられた作動側熱交換器と備え、前記作動側熱交換器と利用側熱交換器は、室内空気と熱交換し、前記作動側熱交換器で熱交換された空気の一部は室外へ、一部は室内へ吐出することにより達成される。
【００１４】
【発明の実施の形態】
以下、本発明の実施例を図１乃至図７に基づいて説明する。
【００１５】
図１は、本発明の一実施例の空気調和機の構成を示す概略斜視図、図２は、図１に示した一体形空気調和機の縦断面図、図３は、本発明の一実施例の空気調和機の冷凍サイクル図、図４は、図１の一体形空気調和機を部屋（トイレ）の壁面に据付した状態を示す一実施例の図、図５は、図１の空気調和機を壁面に据付した状態を背面から見た一実施例の断面斜視図、図６は、室外側吹出口の要部拡大図、図７は、室外側吹出口から室外に排気するための排気用ダクトの一例を示す断面図である。
【００１６】
図１乃至図３において、一体形空気調和機本体１の外形を形成する筐体は、内部のほぼ中間に隔壁を設け、上下に空間を形成している。下部空間の前面下方には利用側熱交換器３が設けられている。上部空間の前面上方には作動側熱交換器４が設けられている。この作動側熱交換器が放熱および吸熱を行う。前記利用側熱交換器３の後方には、利用側送風機５が設けられ、作動側熱交換器４の後方には作動側送風機６が設けられている。この作動側送風機６の出口側上面には、室内への空気吹出として吹出口１１が設けられている。排気用吹出として吹出口１１ａ、１２、１３、１４が設けてある。この吹出口１１ａ、１２、１３、１４は、作動側熱交換器４で熱交換した空気を室外側への吹出すためのものである。
【００１７】
これらの吹出口１１、１１ａ、１２、１３、１４は、室内の空気を吸引して作動側熱交換器４熱交換した空気が室内又は室外に吐出するものである。１０は一体形空気調和機の前面に設けられた利用側熱交換器３及び作動側熱交換器４の吸込口である。８は利用側吹出通路５ｂを経由した空気が室内に吹出される吹出口７に設けた風向板である。９は利用側吹出通路５ｂ内に設けた脱臭装置である。１５は利用側熱交換器３の下部に設けた露受皿である。この露受皿１５には、後述するドレンホースが接続され、トイレの水タンクや洗面台のシンクなどに流すようになっている。１６は利用側吸込通路５ａ内に設けたヒータである。２は圧縮機、１７は電気品である。
【００１８】
以上の一体形空気調和機において、第３図に示した冷凍サイクルで冷房運転を行う場合は、次のような冷媒の流れとまる。圧縮機２から吐出された冷媒は切換弁１８を経由して作動側熱交換器４に流入して凝縮する。その後、減圧器１９で減圧され、利用側熱交換器３で蒸発し、再び切換弁１８を経由して圧縮機２に戻る。
【００１９】
ここで、冷媒は作動側熱交換器４で放熱（凝縮）し、利用側熱交換器３で吸熱（蒸発）する。この際、作動側送風機６により吸い込まれた室内空気は、作動側熱交換器４を通過するときに加熱され、主に室内に吹き出されるか、あるいは一部は室内に残りの一部（空気調和機の入力相当分の熱量）は、後述するダクトを介して室外に放熱空気として排気される。一方、利用側送風機５により吸い込まれた室内空気は、利用側熱交換器３を通過することによって冷却され、利用側吹出通路５ｂを通って冷気として室内に吹き出される。
【００２０】
また、除湿運転時には、前記冷房運転と同様の運転を行うことで、室内空気の除湿が可能である。除湿運転時に室温が低い場合は、ヒータ１６で冷気を加熱することによって冷房感が少ない除湿運転が可能となる。
【００２１】
また、暖房運転では、切換弁１８を切り換えることによって、圧縮機２から吐出された冷媒は切換弁１８を経由して利用側熱交換器３に流入して凝縮し、減圧器１９で減圧された後、作動側熱交換器４に流入して蒸発し、再び切換弁１８を経由して圧縮機２に戻る。
【００２２】
この暖房運転によって、利用側送風機５により吸い込まれた室内空気は利用側熱交換器３で加熱され、利用側吹出通路５ｂを通って暖気として室内に吹き出されて室内の暖房を行う。特に寒い場合は、ヒータ１６との併用によって高い温度の暖房運転も可能である。尚、冷凍サイクルを使用せず、ヒータ１６と利用側送風機５による温風暖房も可能である。また、利用側吹出通路５ｂ内に脱臭装置９を設けたことにより、室内空気の脱臭も可能である。
【００２３】
ところで、室内空気の一部は、作動側送風機６により、室外に排気されるため、室内空気の換気が行われる。ただし、放熱によって加熱された空気は、主に室外に吹き出されるが、室外側吹出口は、部屋の据付場所などを考慮し、空気調和機本体の上面、背面、左側面、右側面にそれぞれ吹出口１１ａ、吹出口１２、吹出口１３、吹出口１４を設けている。これにより、空気調和機本体を部屋の壁面に据え付けた際、前記吹出口１１ａ、１２、１３、１４の中から据付けに最も適する吹出口１箇所を選択して、これに排気用ダクト２０を取付けて屋外に排気することができる。従って、本発明の空気調和機を据付ける前は、これらの吹出口は、蓋されており、据付場所が決定した後、最も最適な吹出口の蓋を取外してダクト２０を取付けることになる。
【００２４】
これらの吹出口１１ａ、１２、１３、１４は、図７の断面図で示すように、排気用ダクト２０は、吹出口から容易に着脱可能な形状となっている。
【００２５】
図４は、トイレに本発明の一体形空気調和機を据付けた実施例を示したものである。図４において、図２に示した露受皿１５に落下したドレン水は、ドレンホース２８を介してトイレ用シンクタンク２４内に導くことができる。また、例えば、脱衣場を兼用した洗面室などの部屋に据付けた場合は、洗濯機用排水口や洗面用の流し台などに、排水することができる。
【００２６】
冷房運転の場合、図４に示すように、空気調和機の空気吹出口から冷気を吹出し、放熱した暖かい空気は、天井２２方向に吹出す部分と換気用ダクト２０を介して換気口２３から室外に吹出す部分とがある。１８は、この空気調和機の運転操作を支持するリモコンである。こように、本発明の空気調和機は、換気と簡易形の局所空気調和機としての機能を備えていれば良い。
【００２７】
図５は、本発明の空気調和機の排気構造を説明するものであり、据付け板２６を介して壁２７に据付けられた空気調和機の背面には、排気用のダクト２０が取付けられている。このダクト２０を介して熱は、室外に排気される。また排気熱の一部は、本体１の上部の吐出口１１から室内に排気される。
【００２８】
図６は、空気調和機本体１の内部から排気熱の吐出口１１部分を拡大したものであり、本体１の据付け位置によってダクト２０を取付ける吐出口の位置を選択できるように、本体１の背面側や側面側に吐出口１２、１４を設けている。この吐出口１２、１４は、据付ける前は、前述したように、蓋１２ａ、１４ａによって閉塞されており、ダクト２０の取付け位置が決定してから蓋１２ａ、１４ａを取外して連結することになる。
【００２９】
図７は、ダクト２０を吐出口１２、１４に連結した状態を示すものであり、本体１からの熱は、矢印で示すように室外に吐出される。
【００３０】
このような構成としたことにより、本発明の一体形空気調和機は、トイレ、脱衣場などの小部屋であっても容易に据付けることが可能であり、局所空気調としての機能を十分に果たすことが可能である。
【００３１】
【発明の効果】
以上のように、本発明の空気調和機はトイレ或いは脱衣場などの小部屋の換気と局所空調が可能な一体形空気調和機を提供することができる。
【図面の簡単な説明】
【図１】本発明の一実施例である一体形空気調和機の一部を破断した概略斜視図。
【図２】同空気調和機の縦断面図。
【図３】同空気調和機の冷凍サイクル図。
【図４】同空気調和機をトイレの壁面に据付した状態を示す斜視図。
【図５】同空気調和機を壁面に据付した状態を背面から見た要部拡大の断面図。
【図６】同空気調和機の室外側吹出口を背面から見た要部拡大図。
【図７】同空気調和機の室外側吹出口と排気用ダクトを接続した部分の断面図。
【図８】従来の一体形空気調和機の内部構成を示す概略斜視図。
【符号の説明】
１…空気調和機本体、１ａ…隔壁、２…圧縮機、３…室内側熱交換器、４…室外側熱交換器、５…室内側送風機、６…室外側送風機、７…室内側吹出口、９…脱臭装置、１０…吸込口、１１…室外側吹出口、１１ａ、１２、１３、１４…吹出口、１２ａ、１４ａ…蓋、１５…露受皿、１６…ヒータ、１８…切換弁、１９…減圧器、２０…排気用ダクト、２３…換気口、２４…シンクタンク、２６…据付板、２７…壁、２８…ドレンホース。
【図１】
0003684936.tif 000002
【図２】
0003684936.tif 000003
【図３】
0003684936.tif 000004
【図４】
0003684936.tif 000005
【図５】
0003684936.tif 000006
【図６】
0003684936.tif 000007
【図７】
0003684936.tif 000008
【図８】
0003684936.tif 000009